(57)【要約】【課題】  係留索が切断した場合でも、船舶に危険を及ぼさないようにした中層設置型浮魚礁を提供する。【解決手段】  浮力のある浮魚礁本体１の下端に海底のアンカー５に連結する主係留索３を有する。浮魚礁本体１は、上端において閉鎖され下端に開孔１３を有していて、内部に空気が満たされることにより上記浮力が付与される中空体２を備える。該浮魚礁本体１の上端には、一端を海底のアンカー５に連結する非常時用係留索４の他端を連結する。この非常時用係留索４は、常態では弛緩状に張設される。【選択図】    図１
2006296215.tif 000002
【特許請求の範囲】
【請求項１】
浮力のある浮魚礁本体の下端に海底のアンカーに連結する主係留索を有する中層設置型浮魚礁において、
上記浮魚礁本体が、上端において閉鎖され下端に開孔を有していて内部に空気が満たされることにより上記浮力が付与される中空体を備え、
該浮魚礁本体の上端に、一端を海底のアンカーに連結する非常時用係留索の他端を連結し、
上記非常時用係留索は、常態では弛緩状に張設されている、
ことを特徴とする中層設置型浮魚礁。
【請求項２】
上記中空体が、長尺筒状体によって形成されている、
ことを特徴とする請求項１に記載の中層設置型浮魚礁。
【請求項３】
上記中空体が、長尺筒状体と、その下部に該長尺筒状体より拡径した浮力が大きい中空拡径体とを連設して形成されている、
ことを特徴とする請求項１に記載の中層設置型浮魚礁。
【請求項４】
上記中空体の下部近傍の外周に上記主係留索の切断時に上記中空体の反転を促す浮体が設けられている、
ことを特徴とする請求項１〜３のいずれかに記載の中層設置型浮魚礁。
【請求項５】
上記浮体が、密閉された中空環状体である、
ことを特徴とする請求項4に記載の中層設置型浮魚礁。  
【請求項６】
上記中空体の下端の開孔が、該中空体の下面中央に、上記長尺筒状体の内径よりも小さいものとして設けられている、
ことを特徴とする請求項２〜５のいずれかに記載の中層設置型浮魚礁。  
【請求項７】
上記浮魚礁本体の上端の外周面に上記非常時用係留索を固定する索固定部を有し、
該索固定部の下方の浮魚礁本体外周部に、該非常時用係留索を挿通して保持する挿通部を備えるとともに、上記主係留索の切断による浮魚礁本体の反転時に該非常時用係留索を離脱可能にする脱索開口を備えた索保持部材を有し、
上記非常時用係留索の上記浮魚礁本体より下方部には、該非常時用係留索に固定されるとともに上記主係留索を遊動状態に挿通する索挿通部材を有し、
上記非常時用係留索を、上記索保持部材により上記浮魚礁本体に沿わせ、上記索挿通部材により上記主係留索に沿わせた、
ことを特徴とする請求項１〜６のいずれかに記載の中層設置型浮魚礁。  
【請求項８】
上記主係留索および上記非常時用係留索の下端の上記アンカーへの固定と、上記主係留索の上端の上記浮魚礁本体への固定は、それぞれに対して索を結束することにより行う、
ことを特徴とする請求項１〜６のいずれかに記載の中層設置型浮魚礁。  
【発明の詳細な説明】
【技術分野】
【０００１】
本発明は、中層設置型浮魚礁に関し、更に詳しくは、海底への係留索が切断しても船舶の航行等の障害にならないように改良された中層設置型浮魚礁に関するものである。
【背景技術】
【０００２】
従来から、栽培漁業用の水中浮魚礁は、種々のものが提案され、実施されている。
それらの水中浮魚礁のうちの中層魚を対象とした中層設置型浮魚礁（特許文献１参照）は、所定の水深に浮力のある浮魚礁本体が設置されるように、長さを調整した係留索を海底のアンカー部材に連結して係留される。
【０００３】
この中層設置型浮魚礁は、例えば、水深３０ｍ位のところに係留されるが、海流・波浪により絶えず揺動し、この揺動により係留索も常にアンカー部材の取り付け部を支点にして揺動し、また、浮魚礁本体が係留索の取り付け部を支点にして揺動するので、係留索が経時に伴って劣化し、ついには切断することがある。
このような問題に対処し、上記特許文献１の浮魚礁では、重量と浮力とをバランスさせることにより、係留索が切断した場合に浮魚礁が海面に浮上し、その一部が海面上に突出して周囲を航行する船舶から目視されるようにしている。
【０００４】
しかしながら、上記係留索が切断した瞬間には、浮魚礁が勢い良く海面上に浮上するので、たまたまその位置を船舶が航行し、あるいは、そこで漁船が操業していると衝突する危険がある。
特に、深海域に設置する浮魚礁では、係留索が長くなってその全体の重量が重いので、浮魚礁の浮力を大きくする必要があることから、係留索が切断すると、その浮上速度が速く、漁船等の小型船舶にとっては危険度が大きい。    
【０００５】
【特許文献１】特開２００２−５１６６５号公報
【発明の開示】
【発明が解決しようとする課題】
【０００６】
本発明の技術的課題は、上記問題を解決し、係留索が切断した場合でも、船舶に危険を及ぼさないようにした中層設置型浮魚礁を提供することにある。
【課題を解決するための手段】
【０００７】
上記課題を解決するための本発明に係る中層設置型浮魚礁は、浮力のある浮魚礁本体の下端に海底のアンカーに連結する主係留索を有する中層設置型浮魚礁において、上記浮魚礁本体が、上端において閉鎖され下端に開孔を有していて内部に空気が満たされることにより上記浮力が付与される中空体を備え、該浮魚礁本体の上端に、一端を海底のアンカーに連結する非常時用係留索の他端を連結し、上記非常時用係留索は、常態では弛緩状に張設されていることを特徴とするものである。
【０００８】
上記構成を有する中層設置型浮魚礁によれば、その浮魚礁本体を主係留索によって海底のアンカーに係留した状態で、不測の事態により主係留索が切断されると、浮力のある浮魚礁本体がその上端に連結した非常時用係留索のみにより海底のアンカーに連結された状態になるので、浮魚礁本体はその浮力により反転して、中空体内の空気が流出すると同時にそこに海水が流入して浮力を失い、結果的に浮魚礁本体が海底に沈降して行くことになる。
したがって、たとえ主係留索が切断することがあっても、浮魚礁本体が勢い良く海面上に浮上し、船舶等に衝突することはない。
【０００９】
本発明の中層設置型浮魚礁の好ましい実施の形態においては、上記中空体が、長尺筒状体によって形成され、あるいは、長尺筒状体と、その下部に該長尺筒状体より拡径した浮力が大きい中空拡径体とを連設して形成され、さらには、上記中空体の下部近傍の外周に上記主係留索の切断時に上記中空体の反転を促す浮体が設けられる。この浮体は、密閉された中空環状体とすることができる。
また、上記中空体の下端の開孔は、浮魚礁本体の揺動に伴う中空体からの空気の逸出を抑制するため、該中空体の下面中央に、上記長尺筒状体の内径よりも小さいものとして設けることが望まれる。
【００１０】
本発明の中層設置型浮魚礁の他の好ましい実施の形態においては、上記浮魚礁本体の上端の外周面に上記非常時用係留索を固定する索固定部を有し、該索固定部の下方の浮魚礁本体外周部に、該非常時用係留索を挿通して保持する挿通部を備えるとともに、上記主係留索の切断による浮魚礁本体の反転時に該非常時用係留索を離脱可能にする脱索開口を備えた索保持部材を有し、上記非常時用係留索の上記浮魚礁本体より下方部には、該非常時用係留索に固定されるとともに上記主係留索を遊動状態に挿通する索挿通部材を有し、上記非常時用係留索が、上記索保持部材により上記浮魚礁本体に沿わせ、上記索挿通部材により上記主係留索に沿わせて張設される。
【００１１】
上記中層設置型浮魚礁は、海流や波浪により絶えず揺動しているため、主係留索と非常時用係留索とが絡み合う可能性があるが、上記構成により、主係留索が非常時用係留索に設けた索挿通部材から抜け出すとともに、非常時用係留索が浮魚礁本体の索保持部材における脱索開口から抜け出すので、両索の絡み合いがなく、浮魚礁本体を確実に反転させることができる。
【００１２】
上記主係留索および上記非常時用係留索の下端の上記アンカーへの固定と、上記主係留索の上端の上記浮魚礁本体への固定は、それぞれに対して索を結束することにより行うのが望ましい。  
【発明の効果】
【００１３】
以上に詳述した本発明の中層設置型浮魚礁によれば、主係留索が切断した場合でも、非常時用係留索で係留が維持されるとともに、浮魚礁本体が反転してその内部の空気が流出すると同時に海水が流入し、浮魚礁本体の浮上により船舶に危険を及ぼすことはない。
【発明を実施するための最良の形態】
【００１４】
以下に、本発明を図面に示す実施例に基づいて詳細に説明する。
図１〜図３は、本発明に係る中層設置型浮魚礁の第１実施例における主要部の構成を示し、図４〜図７の上記第１実施例の部分的な構成を示している。
この中層設置型浮魚礁は、図１に示すように、浮力のある長尺筒状の中空体２を備えた浮魚礁本体１と、該浮魚礁本体１の下端を海底のアンカー５に連結する主係留索３と、該浮魚礁本体１の上端を海底のアンカー５に連結する非常時用係留索４とを備えている。
【００１５】
防食処理が施された長尺筒状体によって形成されている上記中空体２は、該長尺筒状体の上端が蓋体１１により閉鎖され、下端に開孔１３（図３参照）を有する底蓋１２を設け、内部に空気を満たすことにより上記浮力を付与するようにしたもので、この底蓋１２の周囲には、図１および図４に示すように、上記主係留索３を固定するための索固定部材１４が取り付けられ、後述するようにこれが主係留索３により海底のアンカー５に連結される。
上記中空体２は、円形断面の筒状体として図示しているが、円形断面に限るものではなく、４角形その他任意断面形状にすることができ、また、鉄等の金属棒材やパイプ材で篭状に形成した枠体に外殻を形成する板材を固定して、内部に空気を満たす空間を形成することもできる。
【００１６】
この浮魚礁本体１は、概ね水面下３０ｍ程度に浮遊させるものであるが、その位置の海底に沈降させたアンカー５に主係留索３で係留させるため、海底の深さによっては主係留索３が長くなり、例えば、１０００ｍを超えるような深さになると、主係留索３および非常時用係留索４がかなりの重量になり、この重量とバランスさせたうえで浮魚礁本体１が係留位置を安定的に保持できる程度の浮上力を持つように、中空体２には高い浮力が要求される。
したがって、浮魚礁本体１を設置する位置の海底の深さに応じて、長尺筒状の中空体２が必要な浮力を持つようにその容積を調整し、あるいは、中空体２の内部に充填する空気量が調整される。
【００１７】
また、上記中空体２には、その周囲に中層魚を集めるための海草その他の生物体着床部材、例えば籠状部材や多孔の筺状部材等を、後述する主係留索３や非常時用係留索４の動作を妨げない範囲内で適宜付設することができ、それによって上記浮魚礁本体１が構成される。このような状態で中層設置型浮魚礁を海中に係留しておくことにより、経時に伴って浮魚礁本体１の表面に種々の海洋生物体が着床し、魚が集まる魚礁が形成される。
【００１８】
上記中空体２の下端には、前述したように、主係留索３を固定するための索固定部材１４が取り付けられている。この索固定部材１４は、図１、図３および図４に示すように、中空体２の下端周縁に取り付けた複数の脚杆１５の先端を収束して、そこに連結環１６を固定することにより構成されたもので、これが主係留索３により海底のアンカー５に連結されるが、上記主係留索３の上端の浮魚礁本体１における中空体２への固定、すなわち、主係留索３と上記連結環１６との固定と、該主係留索３の下端の上記アンカー５への固定とは、それぞれに対して主係留索３を結束することにより行うようにしている。
【００１９】
この主係留索３を結束する場合の結び方としては、引張力が作用したときに結び目が締まる各種結び方を利用することが望まれる。
中層設置型浮魚礁は、海流や波浪により絶えず水中で揺動し、この揺動により係留索３も浮魚礁本体１における上記連結環１６およびアンカー部材５との取り付け部において、張力が作用した状態で揺動するので、連結用部材が相互に摺動して摩擦する状態の連結では摩耗が著しくなるが、索の巻き締め等による結束を行えば、可撓な主係留索３が屈曲して相互に連結する部分に摺動による摩擦がなく、長期にわたる結束状態を保持させることができる。
【００２０】
また、図１に示すように、浮魚礁本体１の上端の一部に非常時用係留索４を固定するための索固定部１７を設け、この索固定部１７に、非常時用係留索４を結束により固定し、該係留索４の他端を上記海底のアンカー５に結束して連結している。この結束を行う場合の係留索４の結び方も、前記主係留索３の場合と同様である。この非常時用係留索４は、常態では強い張力が作用しないように弛緩状に張設されるものである。
なお、上記主係留索３および非常時用係留索４は、その重量を軽減するため、高い引張強度と柔軟性を備えた合成樹脂等によって形成したロープで形成することが望まれる。
【００２１】
上記中層設置型浮魚礁は、その浮魚礁本体１を主係留索３によって海底のアンカー５に係留した状態で、不測の事態により主係留索３が切断されると、浮力のある浮魚礁本体１がその上端に連結した非常時用係留索４のみにより海底のアンカー５に連結された状態になるので、浮魚礁本体１はその浮力により反転して、底蓋１２側が上になり、中空体２内の空気が底蓋１２に設けた開孔１３から流出すると同時に、そこに海水が流入して浮力を失い、結果的に浮魚礁本体１が海底に沈降して行くことになる。
したがって、たとえ主係留索３が切断することがあっても、浮魚礁本体１が勢い良く海面上に浮上することはない。
【００２２】
上記中空体２の下端の底蓋１２の中心部に設けた開孔１３は、内部に空気を満たすことにより上記浮力が付与された中空体２が、上記主係留索３の切断により反転した場合に、内部の空気を速やかに排出できる範囲内で、中空体を構成する長尺筒状体の内径よりも小さいものとして設けられている。このように、上記開孔１３を小さくしておくと、図８に示すように、中空体２が潮流や波浪などで傾斜した場合でも、中空体２の下端が全て開口している場合の中空体２内への浸入水の水面Ｈに較べて、その浸入水の水面Ｌが低くなり、浸入する水量（逸失する空気量）を少なくすることができ、すなわち、小さい口径の開孔１３とすることにより、傾斜による浮力の損失を可及的に小さくすることができる。
【００２３】
上記中層設置型浮魚礁は、海流や波浪により絶えず揺動するため、上述した主係留索３と非常時用係留索４とを設けると、それらが絡み合う可能性がある。
この問題を解決するため、上記浮魚礁本体１の上端の外周面の索固定部１７に固定した上記非常時用係留索４を、該索固定部１７の下方における浮魚礁本体１外周部に沿って一時的に保持する複数の索保持部材１８を列設している。該索保持部材１８は、図５に示すように、該非常時用係留索４を挿通して保持する挿通部１８ａを備えるとともに、この挿通部１８ａに外方と連通する切れ目によって構成される脱索開口１８ｂを備えたもので、該開口１８ｂは、上記主係留索３の切断による浮魚礁本体１の反転時に該非常時用係留索４が強い力で引かれると挿通部１８ａから離脱するように、その幅ｗを、非常時用係留索４の径よりもわずかに狭く形成したものである。この索保持部材１８により、常態では上記非常時用係留索４を上記浮魚礁本体１に沿わせた状態に保持することができる。
【００２４】
なお、上記非常時用係留索４を浮魚礁本体１の外周部に沿って一時的に保持する上記索保持部材１８は、図示したような構成に限るものではなく、上記主係留索３の切断による浮魚礁本体１の反転時に、該非常時用係留索４によって索保持部材１８を中空筒２の頭部側に傾倒させる強い力が作用したときに該索保持部材１８から離脱するような各種構造を採用することもできる。
また、上記索固定部１７や複数の索保持部材１８は、図示したように中空体２の周面に設けることができるが、該中空部２の周囲に籠状部材等からなる海草その他の生物体着床部材を設けて、それらが主係留索３や非常時用係留索４と干渉する可能性がある場合には、上記生物体着床部材を設けた浮魚礁本体１の外周部に沿って、上記策固定部１７や索保持部材１８を設ける必要がある。
【００２５】
また、上記非常時用係留索４における上記浮魚礁本体１よりも下方でアンカー５に至るまでの部位には、図１に示すように、適宜の間隔で索挿通部材１９を固定している。この索挿通部材１９は、図６に示すように、上記非常時用係留索４に固定する固定部１９ａと、上記主係留索３を遊動状態に挿通する環状の索挿通環１９ｂとを有するものである。
そして、非常時用係留索４に固定した索挿通部材１９における索挿通環１９ｂに主係留索３を挿通しておくことにより、上記非常時用係留索４を主係留索３に沿わせた状態に保持することができる。
【００２６】
主係留索３および非常時用係留索４をこのようにして張設しておくと、海流や波浪により浮魚礁本体１が回転し、主係留索３と非常時用係留索４とが互いに捻れることがあっても、主係留索３が切断したときには、その切断位置がアンカー５の近辺であっても、主係留索３が非常時用係留索４に設けた索挿通部材１９の索挿通環１９ｂから抜け出し、それに伴って中空体２が反転するとともに、非常時用係留索４が浮魚礁本体１の索保持部材１８における脱索開口１８ｂから抜け出し、両索の絡み合いがない。
【００２７】
図９は、本発明に係る中層設置型浮魚礁の第２実施例を示している。この中層設置型浮魚礁における浮魚礁本体２１は、中空体２２が、長尺筒状体２２ａとその下部に連設した中空拡径体２２ｂとにより形成されている。該中空拡径体２２ｂは、長尺筒状体２２ａより拡径して大きい浮力を持たせたものであり、長尺筒状体２２ａと中空拡径体２２ｂの内部は相互に連通させている。そして、中空拡径体２２ｂの下端の底蓋３２の中心部に設けた開孔３３は、長尺筒状体２２ａの内径よりも小さく形成している。
この第２実施例の浮魚礁本体２１は、下部に中空拡径体２２ｂを設けているので、下部の浮力が大きく、主係留索３が切断されたときに反転しやすくなっている。
なお、その他の構成および作用は第１実施例と実質的に変わるところがないので、第１実施例と同一または相当部分に同一の符号を付して、それらの説明を省略する。
【００２８】
図９は、本発明に係る中層設置型浮魚礁の第３実施例を示している。この中層設置型浮魚礁における浮魚礁本体４１は、第１実施例と同じ構成を持つ中空体４２の下部近傍の外周に上記主係留索３の切断時に中空体４２の反転を促す浮体４３を設けている、上記浮体４３は、密閉された中空環状体によって構成しているが、浮力の大きい各種素材で形成することもできる。
この第３実施例の浮魚礁本体４１は、下部に浮体４３を設けているので、下部の浮力が大きく、主係留索３が切断されたときに、反転しやすくなっている。図中の鎖線は、浮魚礁本体４１の反転中の状態を示している。
なお、その他の構成および作用は第１実施例と実質的に変わるところがないので、第１実施例と同一または相当部分に同一の符号を付して、それらの説明を省略する。
【図面の簡単な説明】
【００２９】
【図１】本発明の第１実施例を示す正面図である。
【図２】図１のＡ−Ａ線での断面図である。
【図３】図１のＢ−Ｂ線での断面図である。
【図４】上記実施例における索固定部材の拡大正面図である。
【図５】上記実施例における索保持部材の拡大平面図である。
【図６】上記実施例における索挿通部材の平面図である。
【図７】アンカーへの主係留索と非常時用係留索との固定状態を示す要部正面図である。
【図８】中空部材の下部の空気流出についての説明図である。
【図９】本発明の第２実施例を示す正面図である。
【図１０】本発明の第３実施例を示す正面図である。
【符号の説明】
【００３０】
１，２１，４１      浮魚礁本体
２，２２，４２      中空体
３    主係留索
４    非常時用係留索
５    アンカー
１３，３３    開孔
１７  索固定部
１８    索保持部材
１８ａ  挿通部
１８ｂ  脱索開口
１９    索挿通部材
２２ａ  長尺筒状体
２２ｂ  中空拡径体
４３    浮体
【図１】
2006296215.tif 000003
【図２】
2006296215.tif 000004
【図３】
2006296215.tif 000005
【図４】
2006296215.tif 000006
【図５】
2006296215.tif 000007
【図６】
2006296215.tif 000008
【図７】
2006296215.tif 000009
【図８】
2006296215.tif 000010
【図９】
2006296215.tif 000011
【図１０】
2006296215.tif 000012